(57)【要約】      （修正有）【課題】留め具のある見開きタイプのファイルの内面にホワイトボードシートを貼り、記載面を内側に二つ折りにすることで、汚れにくく携帯が容易になる記載面積の大きなホワイトボードを提供する。【解決手段】ホワイトボードのシート２が内側に貼られたＢ５サイズの見開き型の二つ折り可能な硬いプラスチック製のファイル１を形成する。さらに、該ファイル１の短辺の片側に長辺の上方から５センチメートルの位置にリベットで内留められた可動するプラスチック製の留め具４を付ける。留め具の形状は、クリップの持つ特性と同様にファイルを閉じた状態で合わさった２つの短辺を挟み込むこめる形を有し、Ａ４サイズの閉じた状態を維持して携帯性を高めて、携帯型二つ折りホワイトボードを構成する。【選択図】図２
0003166730.tif 000002
【実用新案登録請求の範囲】
【請求項１】
ホワイトボードシート面（記載面）が内側になる二つ折りの硬いプラスチック等適合素材のファイルであり、なおかつ硬いプラスチック等適合素材の留め具による固定ができる特徴を持つ携帯型二つ折りホワイトボードである。
【請求項２】
ホワイトボードシート面（記載面）が内側になる二つ折りの硬いプラスチック等適合素材のファイルであり、なおかつゴム等適合素材の留め具による固定ができる特徴を持つ携帯型二つ折りホワイトボードである。
【考案の詳細な説明】
【技術分野】
【０００１】本考案は、二つ折りにできるプラスチック等適合素材による外面が硬い見開き形状のホワイトボードに関するものである。
【背景技術】
【０００２】ホワイトシートという紙のホワイトボードが製造され、留め具のある携帯に容易なプラスチック等適合素材のファイルと組み合わせることで二つ折りにできるホワイトボードの作成が可能となった。
【先行技術文献】
【特許文献】
【０００３】なし
【非特許文献】
【０００４】なし
【考案の概要】
【考案が解決しようとする課題】
【０００５】打合せでホワイトボードを利用した情報共有をしながらのコミュニケーションが増えおり、その効果も認められてきているが、ホワイトボードの形状がボード状のため、どこにでも配置しておける物はなく、表面が記載面であるために汚れていて持ち運ぶことも容易ではない。また携帯を目的としたホワイトボードは片面のサイズで作られていて記載面積が少ない。
【課題を解決するための手段】
【０００６】留め具付きの見開きタイプの硬いプラスチック等適合素材ファイルの内面に紙状のホワイトボードペーパーを貼り、折りたたむ。
【考案の効果】
【０００７】折りたたむと記載面積の約半分の小さいサイズで持ち運ぶことが可能で、なおかつホワイトボード面が内側になることで汚れずに鞄や手などで持ち歩くことができる。ホワイトボード面については見開き時には十分に描く面積が利用でき、この携帯型二つ折りホワイトボードを用いることで打合せの見える化が進み打合せの効果が高まる。またノートなどの紙媒体の代替えとなるため紙焼却によるＣＯ２削減、ノートという消耗品の利用を減らすことでコストダウンを図ることができる。
【図面の簡単な説明】
【０００８】
【図１】本考案の見開いたファイル内側のホワイトボード面と留め具の図である。
【図２】留め具で折りたたんだ状態の図である。
【図３】ゴム等適合素材が留め具の状態図である。
【考案を実施するための形態】
【０００９】二つ折りタイプファイル内側にホワイトボードシートを貼り、閉じた時に固定することができる留め具のある形態。
【実施例】
【００１０】以下、添付図面にて実施例を説明する。１は耐久性のプラスチック等適合素材による見開き状のファイルを示し、２は内面に貼るホワイトボードシートを示している。３は折りたたみ状態を維持するための外面の耐久性のプラスチック等適合素材の留め具を示している。４は留め具とファイルを止める穴であり、５はその穴で留め具とファイルを固定するピンを示す。【００１１】６はゴム等適合素材による留め具を示し、７ａはゴム等適合素材による留め具とファイルを止める上部の穴であり７ｂは下部の穴を示す。８ａは留め具とファイルを固定する上部のピンで、８ｂは下部のピンを示す。
【産業上の利用可能性】
【００１２】ノートという紙媒体に代わり、携帯できるホワイトボードの利用は、紙の利用率を下げることで廃棄時のＣＯ２削減にもつながる。また、ノートという消耗品の代わりになることで費用効果につながる。
【図１】
0003166730.tif 000003
【図２】
0003166730.tif 000004
【図３】
0003166730.tif 000005
【手続補正書】
【提出日】平成22年6月7日(2010.6.7)
【手続補正１】
【補正対象書類名】実用新案登録請求の範囲
【補正対象項目名】全文
【補正方法】変更
【補正の内容】
【実用新案登録請求の範囲】
【請求項１】
ホワイトボードシート面が内側になる二つ折りの硬いプラスチック製のファイルであり、なおかつプラスチック製の留め具でファイルを閉じた状態に維持することができ、携帯性を高めた特徴を持つ携帯型二つ折りホワイトボード。
【請求項２】
ホワイトボードシート面が内側になる二つ折りの硬いプラスチック製のファイルであり、なおかつゴム製の留め具でファイルを閉じた状態に維持することができ、携帯性を高めた特徴を持つ携帯型二つ折りホワイトボード。
【手続補正書】
【提出日】平成22年9月14日(2010.9.14)
【手続補正２】
【補正対象書類名】実用新案登録請求の範囲
【補正対象項目名】全文
【補正方法】変更
【補正の内容】
【実用新案登録請求の範囲】
【請求項１】
ホワイトボードのシートが内側に貼られたＢ５サイズの見開き型の二つ折り可能な硬いプラスチック製のファイルであり、なおかつ短辺の片側に長辺の上方から５センチメートルの位置にリベットで内留められた可動するプラスチック製の留め具が付いている。留め具の形状は、クリップの持つ特性と同様にファイルを閉じた状態で合わさった２つの短辺を挟み込むこめる形を有する。Ａ４サイズの閉じた状態を維持する携帯性を高めた特徴を持つ携帯型二つ折りホワイトボード。
【請求項２】
ホワイトボードのシートが内側に貼られたＢ５サイズの見開き型の二つ折り可能な硬いプラスチック製のファイルであり、なおかつ長辺の上方端から５ミリメートル、短辺端から１センチメートルの位置と、同じ短辺側の長辺下方端から５ミリメートル、短辺端から１センチメートルの２つの位置に縦に穴が並ぶように開いており、輪状のゴムがその穴に通されている。Ａ４サイズの閉じた状態時に外装部分にゴムを回して固定することで閉じた状態を維持する携帯性を高めた特徴を持つ携帯型二つ折りホワイトボード。
【手続補正書】
【提出日】平成22年12月21日(2010.12.21)
【手続補正１】
【補正対象書類名】実用新案登録請求の範囲
【補正対象項目名】全文
【補正方法】変更
【補正の内容】
【実用新案登録請求の範囲】
【請求項１】
ホワイトボードのシートが内側に貼られたＢ５サイズの見開き型の二つ折り可能な硬いプラスチック製のファイルであり、なおかつ短辺の片側に長辺の上方から５センチメートルの位置にリベットで内留められた可動するプラスチック製の留め具が付いており、留め具の形状は、クリップの持つ特性と同様にファイルを閉じた状態で合わさった２つの短辺を挟み込むこめる形を有し、Ａ４サイズの閉じた状態を維持する携帯性を高めた特徴を持つ携帯型二つ折りホワイトボード。
【請求項２】
ホワイトボードのシートが内側に貼られたＢ５サイズの見開き型の二つ折り可能な硬いプラスチック製のファイルであり、なおかつ長辺の上方端から５ミリメートル、短辺端から１センチメートルの位置と、同じ短辺側の長辺下方端から５ミリメートル、短辺端から１センチメートルの２つの位置に縦に穴が並ぶように開いており、輪状のゴムをその穴に通し、Ａ４サイズの閉じた状態時に外装部分にゴムを回して固定することで閉じた状態を維持する携帯性を高めた特徴を持つ携帯型二つ折りホワイトボード。